(57)【要約】【課題】リグが絡みにくく、しかも着脱が容易な飛ばし浮子１２の提供。【解決手段】飛ばし浮子１２は、ストッパー１４、ボディ１６、アーム１８及びコイル２０を備えている。コイル２０によって、アイ６８が形成されている。ストッパー１４は、ゴム又は熱可塑性エラストマーからなる。ボディ１６は、硬質合成樹脂からなる。釣り糸１３は、ストッパー１４に包まれている。ストッパー１４は、ボディ１６に圧入されている。この圧入により、ストッパー１４が釣り糸１３を押圧している。この押圧により、釣り糸１３に対する飛ばし浮子１２の位置が固定されている。釣り糸１３は、アイ６８を通されている。コイル２０を形成する金属線の間隙を、釣り糸１３の端以外の箇所が通過させられることにより、釣り糸１３がアイ６８に通される。【選択図】図１
2010051199.tif 000002
【特許請求の範囲】
【請求項１】
釣り糸を包むストッパーと、このストッパーが圧入されうるボディと、このストッパー又はボディから延びるアームと、このアームの先端に取り付けられたアイとを備えており、
上記ストッパーがボディに圧入されることでこのストッパーが釣り糸を押圧して、釣り糸に対するボディの位置が固定され、
上記釣り糸の端以外の箇所においてこの釣り糸がアイに通されうるように、このアイが構成されている天秤機能付きの飛ばし浮子。
【請求項２】
上記ストッパーが、軟質材料からなり、かつ右フィン及び左フィンを備えており、
この左フィンが、右フィンに連結されており、かつこの右フィンに対して回動可能であり、
この左フィンが回動して右フィンと合わされることによって釣り糸がストッパーに包まれるように、このストッパーが構成されており、
上記ボディが、その軸方向に貫通する孔と、その表面から孔に至るスリットとを備えており、
この孔又はスリットにストッパーが圧入されることでこのストッパーが釣り糸を押圧するように構成された請求項１に記載の飛ばし浮子。
【請求項３】
上記ボディから互いに逆方向に延びる第一アーム及び第二アームと、この第一アームの先端に取り付けられた第一アイと、この第二アームの先端に取り付けられた第二アイとを備えており、
上記釣り糸の端以外の箇所においてこの釣り糸が第一アイに通されうるように、この第一アイが構成されており、
上記釣り糸の端以外の箇所においてこの釣り糸が第二アイに通されうるように、この第二アイが構成されている請求項１又は２に記載の飛ばし浮子。
【発明の詳細な説明】
【技術分野】
【０００１】
本発明は、釣りに用いられる飛ばし浮子に関する。詳細には、本発明は、天秤機能を備えた飛ばし浮子に関する。
【背景技術】
【０００２】
近年、疑似餌を用いたメバル釣りが盛んに行われている。典型的なリグ（仕掛け）は、ジグヘッドリグである。ジグヘッドリグでは、釣り糸の先端にジグヘッドが取り付けられる。このジグヘッドは、重錘とフックとからなる。このフックに、ソフトルアーが刺される。
【０００３】
メバルの魚体は、ルアーフィッシングのターゲットの中では小さい。従って、比較的小型のジグヘッドとソフトルアーとが用いられている。水中でのルアーの急速な沈降が釣果に悪影響を及ぼすことを避ける目的でも、小型のジグヘッドが用いられる。重錘を有さないリグが用いられることもある。メバル用のリグは、軽量である。
【０００４】
釣り人は、陸や船からメバルを狙う。メバルが存在する位置が、釣り人の位置から遠いこともある。この場合、釣り人はリグをキャストする。前述の通りリグは軽量なので、飛行中の空気抵抗でリグが失速し、目標地点まで届かないことがある。
【０００５】
飛距離の向上の目的で、釣り人は、釣り糸に飛ばし浮子を取り付ける。図１４は、従来の飛ばし浮子２が釣り糸４及び浮子止め６と共に示された断面図である。図１４には、飛ばし浮子２が水面Ｓに浮かんだ状態が示されている。この飛ばし浮子２はいわゆる中通しタイプであり、孔８を備えている。釣り糸４は、この孔８を通されている。釣り糸４の端が孔８を通過させられることで、この釣り糸４が孔８を通される。浮子止め６はゴム製であり、この浮子止め６が孔８に圧入されることにより、この飛ばし浮子２が釣り糸４に固定されている。この飛ばし浮子２によって、リグの質量が高まる。飛ばし浮子２を有するリグは、目標地点に到達しやすい。
【発明の開示】
【発明が解決しようとする課題】
【０００６】
メバルの棚（泳層）に応じ、最適な比重の飛ばし浮子２が用いられる必要がある。釣り人は、頻繁に飛ばし浮子２を交換する。この交換のとき、釣り人は釣り糸４を切断してこの飛ばし浮子２から釣り糸４を抜き、他の飛ばし浮子２の孔８に釣り糸４を通す。その後に釣り人は、釣り糸４を締結する。飛ばし浮子２の交換には、釣り糸４の切断と締結とが伴う。この交換には、手間と時間とがかかる。
【０００７】
飛ばし浮子を有するリグがキャストされると、この飛ばし浮子が先頭となって飛行する。このとき、フック又はルアーが、飛ばし浮子よりもロッド側にある釣り糸と絡んでしまうことがある。絡みを防止する目的で、リグに天秤を用いる手段が考えられる。リグをキャストするときの目標地点までの距離に応じ、釣り人は、飛ばし浮子及び天秤を着脱する。この着脱にも、手間と時間とがかかる。
【０００８】
本発明の目的は、リグが絡みにくく、しかも着脱が容易な飛ばし浮子の提供にある。
【課題を解決するための手段】
【０００９】
本発明に係る飛ばし浮子は、釣り糸を包むストッパーと、このストッパーが圧入されうるボディと、このストッパー又はボディから延びるアームと、このアームの先端に取り付けられたアイとを備える。この飛ばし浮子では、ストッパーがボディに圧入されることでこのストッパーが釣り糸を押圧し、釣り糸に対するボディの位置が固定される。釣り糸の端以外の箇所において、この釣り糸がアイに通されうる。この飛ばし浮子は、天秤機能を有する。
【００１０】
好ましくは、ストッパーは軟質材料からなり、かつ右フィン及び左フィンを備える。この左フィンは、右フィンに連結されており、かつこの右フィンに対して回動可能である。この左フィンが回動して右フィンと合わされることにより、釣り糸がストッパーに包まれる。ボディは、その軸方向に貫通する孔と、その表面から孔に至るスリットを備える。この孔又はスリットにストッパーが圧入されることで、このストッパーが釣り糸を押圧する。
【００１１】
好ましくは、この飛ばし浮子は、ボディから互いに逆方向に延びる第一アーム及び第二アームと、この第一アームの先端に取り付けられた第一アイと、この第二アームの先端に取り付けられた第二アイとを備える。釣り糸の端以外の箇所において、この釣り糸が第一アイに通されうる。釣り糸の端以外の箇所において、この釣り糸が第二アイに通されうる。
【発明の効果】
【００１２】
本発明に係る飛ばし浮子は、釣り糸に容易に着脱されうる。この飛ばし浮子を備えたリグがキャストされたとき、アームが釣り糸の絡みを抑制する。
【発明を実施するための最良の形態】
【００１３】
以下、適宜図面が参照されつつ、好ましい実施形態に基づいて本発明が詳細に説明される。
【００１４】
図１は、本発明の一実施形態に係る飛ばし浮子１２が釣り糸１３と共に示された正面図である。この飛ばし浮子１２は、ストッパー１４、ボディ１６、アーム１８及びコイル２０を備えている。
【００１５】
図２は、図１の飛ばし浮子１２のストッパー１４が示された拡大展開図である。図３は、図２のIII−III線に沿った断面図である。図４は、図２のIV−IV線に沿った断面図である。ストッパー１４は、上筒２２、下筒２４、右フィン２６、左フィン２８、上厚肉部３０及び下厚肉部３２を備えている。上筒２２、下筒２４、右フィン２６、左フィン２８、上厚肉部３０及び下厚肉部３２は、一体成形によって得られる。ストッパー１４は、軟質なポリマー組成物からなる。このポリマー組成物の基材は、ゴム又は熱可塑性エラストマーである。典型的な基材は、ポリエステルエラストマーである。ストッパー１４は、弾性変形しうる。ストッパー１４は、変形能に優れている。
【００１６】
上筒２２と下筒２４とは、同軸上に配置されている。上筒２２には、スリット３４が形成されている。このスリット３４は上筒２２の軸方向に沿って延在しており、上筒２２の上端から下端にまで至っている。下筒２４には、スリット３６が形成されている。このスリット３６は下筒２４の軸方向に沿って延在しており、下筒２４の上端から下端にまで至っている。上筒２２のスリット３４と下筒２４のスリット３６とは、同軸上に配置されている。
【００１７】
右フィン２６は、右ベースシート３８、右リッジ４０、第一孔４２、第二孔４４及び第三孔４６を備えている。右ベースシート３８の厚みは、上厚肉部３０及び下厚肉部３２の厚みの約半分である。右リッジ４０は、図２の上下方向に延在している。図４から明らかなように、右リッジ４０の断面形状は略半円である。この半円の半径は、上筒２２及び下筒２４の半径と実質的に同一である。第一孔４２、第二孔４４及び第三孔４６は、右ベースシート３８を貫通している。
【００１８】
左フィン２８は、左ベースシート４８、左リッジ５０、第一突起５２、第二突起５４、第三突起５６及び第四突起５８を備えている。左ベースシート４８の厚みは、上厚肉部３０及び下厚肉部３２の厚みの約半分である。左リッジ５０は、図２の上下方向に延在している。図４から明らかなように、左リッジ５０の断面形状は略半円である。この半円の半径は、上筒２２及び下筒２４の半径と実質的に同一である。第一突起５２、第二突起５４及び第三突起５６は、左ベースシート４８の表側において、この左ベースシート４８から突出している。第四突起５８は、左ベースシート４８の裏側において、この左ベースシート４８から突出している。第一突起５２、第二突起５４、第三突起５６及び第四突起５８の断面形状は、実質的に円である。
【００１９】
第一突起５２の外径は、第一孔４２の内径よりも若干大きい。第一突起５２は、第一孔４２に圧入されうる。第二突起５４の外径は、第二孔４４の内径よりも若干大きい。第二突起５４は、第二孔４４に圧入されうる。第三突起５６の外径は、第三孔４６の内径よりも若干大きい。第三突起５６は、第三孔４６に圧入されうる。第一突起５２の高さは、右ベースシート３８の厚みと実質的に同一である。第二突起５４の高さは、右ベースシート３８の厚みと実質的に同一である。第三突起５６の高さは、右ベースシート３８の厚みよりも大きい。
【００２０】
図４から明らかなように、右リッジ４０と左リッジ５０とは、部分的に重複している。換言すれば、右リッジ４０及び左リッジ５０により、左フィン２８が右フィン２６に連結されている。図４において矢印Ａ及びＢに示されるように、左フィン２８は、両リッジの重複部分を軸として、右フィン２６に対して回動しうる。右フィン２６と左フィン２８とは、蝶番と同等の動作をしうる。
【００２１】
矢印Ｂの方向に回動することにより、左フィン２８は右フィン２６と合わされうる。図５には、左フィン２８が右フィン２６と合わされた状態のストッパー１４が示されている。第一突起５２は第一孔４２に圧入され、第二突起５４は第二孔４４に圧入され、第三突起５６は第三孔４６に圧入されている。第三突起５６は高いので、第三突起５６の一部は右ベースシート３８の裏側に露出する。露出した部分の高さは、第四突起５８（図４参照）の高さと実質的に同一である。換言すれば、第三突起５６の高さと第四突起５８の高さとの差は、右ベースシート３８の厚みと実質的に同一である。
【００２２】
図６は、図１の飛ばし浮子１２のボディ１６が示された斜視図である。図７は、図６のボディ１６の縦断面図である。図７には、アーム１８の一部も示されている。図８は、図６のボディ１６の横断面図である。
【００２３】
ボディ１６は、ストッパー１４よりも硬質な材料からなる。好ましくは、ボディ１６は、硬質合成樹脂からなる。典型的な合成樹脂としては、アクリロニトリル−ブタジエン−スチレン共重合体（ＡＢＳ樹脂）及びポリメチルペンテン（ＴＰＸ）が挙げられる。ボディ１６の形状は、概して樽状である。ボディ１６は、孔６０を備えている。孔６０はボディ１６のほぼ中央に位置しており、このボディ１６を軸方向に貫通している。孔６０の内径は、上筒２２及び下筒２４の内径よりも若干小さい。ボディ１６は、スリット６２を備えている。このスリット６２はボディ１６の軸方向に沿って延在しており、ボディ１６の上端から下端にまで至っている。スリット６２は、ボディ１６の表面から孔６０にまで至っている。スリット６２の幅Ｗ（図８参照）は、右ベースシート３８の厚みと左ベースシート４８の厚みとの合計よりも、若干小さい。ボディ１６はさらに、一対のリセス６４を備えている。これらリセス６４は、スリット６２を挟んで対向している。
【００２４】
図１に示されるように、アーム１８は湾曲している。このアーム１８は、金属線からなる。アーム１８は、自重では変形しない程度の剛性を有する。好ましくは、アーム１８は、魚が釣り糸１３を引く力によって弾性変形しうる。図７に示されるように、アーム１８の一端にはフランジ６６が形成されている。このフランジ６６は、ボディ１６に埋設されている。この埋設は、インサート成形によってなされうる。フランジ６６により、ボディ１６からのアーム１８の脱抜が防止される。
【００２５】
図９は、図１の飛ばし浮子１２のコイル２０がアーム１８の一部と共に示された拡大図である。このコイル２０は、金属線からなる。図１から明らかなように、コイル２０はアーム１８と一体である。金属線に曲げ加工がなされることで、アーム１８及びコイル２０が形成されうる。コイル２０により、アイ６８が形成されている。コイル２０以外の手段により、アイ６８が形成されてもよい。例えばカラビナにより、アイ６８が形成されてもよい。
【００２６】
図１０は、飛ばし浮子１２が釣り糸１３に装着される手順が示された説明図である。釣り糸１３は、上筒２２のスリット３４及び下筒２４のスリット３６を通過させられる。通過により、図１０（ａ）に示されるように、釣り糸１３は上筒２２及び下筒２４に収容される。この状態で、図４における矢印Ｂの方向に、左フィン２８が回動する。回動により、図１０（ｂ）に示されるように、左フィン２８が右フィン２６と合わされる。第一突起５２は第一孔４２に圧入され、第二突起５４は第二孔４４に圧入され、第三突起５６は第三孔４６に圧入される。圧入によりロックがかかり、左フィン２８の意図せぬ回動が阻止される。左フィン２８が右フィン２６と合わされることにより、釣り糸１３がストッパー１４に包まれる。釣り糸１３が、ボディ１６のスリット６２を通過させられる。通過により、図１０（ｃ）に示されるように、釣り糸１３は孔６０に収容される。この状態で、図１０（ｃ）における矢印Ｃの方向にストッパー１４が移動させられる。移動により、ストッパー１４がボディ１６に圧入される。圧入により、右リッジ４０及び左リッジ５０はボディ１６のスリット６２に収容される。圧入により、第三突起５６及び第四突起５８がリセス６４に嵌合する。この嵌合によりロックがかかり、ボディ１６からのストッパー１４の意図せぬ移動が阻止される。圧入により右リッジ４０及び左リッジ５０が釣り糸１３を押圧する。この押圧により、釣り糸１３に対する飛ばし浮子１２の位置が固定される。釣り糸１３は、アイ６８に通される。もしアイがリングであれば、釣り糸１３は端からこのアイを通される必要がある。前述の通りアイ６８はコイル２０によって形成されているので、釣り糸１３の端以外の箇所が金属線の間隙を通過させられることで、釣り糸１３がアイ６８を通されうる。
【００２７】
飛ばし浮子１２が釣り糸１３から外されるときは、釣り糸１３の端以外の箇所が金属線の間隙を通過させられることで、アイ６８から釣り糸１３が抜かれる。ボディ１６からストッパー１４が抜かれ、このストッパー１４が開かれる。スリット３４を通過することで、釣り糸１３が上筒２２から抜かれる。スリット３６を通過することで、釣り糸１３が下筒２４から抜かれる。
【００２８】
この飛ばし浮子１２は、釣り糸１３が切断されることなく、この釣り糸１３に着脱されうる。この着脱は容易である。飛ばし浮子１２を装着することなく釣りを行っていた釣り人が、自らの位置から遠い位置でメバルを狙いたいとき、この飛ばし浮子１２を釣り糸１３に装着してリグをキャストすることができる。釣り糸１３の切断の必要がないので、この装着は短時間でなされうる。飛ばし浮子１２を装着して釣りを行っていた釣り人が、自らの位置から近い位置でメバルを狙いたいとき、この飛ばし浮子１２を釣り糸１３から容易に取り外すことができる。釣り糸１３の切断の必要がないので、この取り外しは短時間でなされうる。
【００２９】
ボディ１６の比重が異なり、従って浮力が異なる複数種の飛ばし浮子１２が製作されうる。例えば、フローティングタイプ、サスペンドタイプ及びシンキングタイプの飛ばし浮子１２が、製作されうる。メバルの棚に応じ、釣り人は、最適な浮力を有する飛ばし浮子１２を選択する。釣り人は、飛ばし浮子１２の交換を頻繁に行う。この交換でも、釣り糸１３が切断される必要がない。交換は、容易にかつ短時間でなされうる。
【００３０】
図１１は、図１の飛ばし浮子１２を備えたリグ７０が示された正面図である。図１１には、飛行中のリグ７０が示されている。リグ７０は、図１１の右に向かって飛行している。キャストされることにより、リグ７０は飛ばし浮子１２を先頭にして飛行する。フック７２及びソフトルアー７４は、飛ばし浮子１２よりも後方に位置する。釣り糸１３のうち飛ばし浮子１２よりもロッド寄りの部分も、飛ばし浮子１２よりも後方に位置する。飛ばし浮子１２がアーム１８を備えているので、フック７２と釣り糸１３との距離Ｌは十分に大きい。このアーム１８により、フック７２及びソフトルアー７４の釣り糸１３への絡みが防止される。この飛ばし浮子１２は、天秤機能を有する。
【００３１】
図１２は、図１の飛ばし浮子１２を備えたリグ７０が示された正面図である。図１２には、飛ばし浮子１２が水面Ｓに浮かんだ状態が示されている。魚がソフトルアー７４を咥えて引っ張ると、アーム１８が矢印Ｄの方向に弾性変形する。その後にアーム１８は、復元する。この復元により、フック７２が上方へ引かれる。復元は、いわゆる「合わせ」である。合わせにより、フック７２が魚に確実に突き刺さる。弾性変形しうるアーム１８により、フッキング率が向上する。
【００３２】
この飛ばし浮子１２では、アーム１８がボディ１６から延びている。アーム１８が、ストッパー１４から延びてもよい。
【００３３】
図１３は、本発明の他の実施形態に係る飛ばし浮子８２が釣り糸１３と共に示された正面図である。この飛ばし浮子８２は、ストッパー８４、ボディ８６、第一アーム８８、第二アーム９０、第一コイル９２及び第二コイル９４を備えている。ストッパー８４の構成は、図１に示されたストッパー１４のそれと同一である。ボディ８６の構成は、図１に示されたボディ１６のそれと同一である。第一アーム８８及び第二アーム９０の構成は、図１に示されたアーム１８のそれと同一である。第一コイル９２及び第二コイル９４の構成は、図１に示されたコイル２０のそれと同一である。第一コイル９２により、第一アイ９６が形成されている。第二コイル９０により、第二アイ９８が形成されている。
【００３４】
この飛ばし浮子８２は、２つのアーム８８、９０を備えている。この飛ばし浮子８２を備えたリグがキャストされると、２つのアーム８０、９０により、飛行中のフックと釣り糸１３との距離が大きく保たれる。このリグでは、フック又はソフトルアーの釣り糸１３への絡みが防止される。
【産業上の利用可能性】
【００３５】
本発明に係る飛ばし浮子は、種々のリグに用いられうる。この飛ばし浮子は、種々の魚種の釣りに用いられうる。
【図面の簡単な説明】
【００３６】
【図１】図１は、本発明の一実施形態に係る飛ばし浮子が釣り糸と共に示された正面図である。
【図２】図２は、図１の飛ばし浮子のストッパーが示された拡大展開図である。
【図３】図３は、図２のIII−III線に沿った断面図である。
【図４】図４は、図２のIV−IV線に沿った断面図である。
【図５】図５は、図１の飛ばし浮子のストッパーが示された斜視図である。
【図６】図６は、図１の飛ばし浮子のボディが示された斜視図である。
【図７】図７は、図６のボディがアームの一部と共に示された縦断面図である。
【図８】図８は、図６のボディの横断面図である。
【図９】図９は、図１の飛ばし浮子のコイルがアームの一部と共に示された拡大図である。
【図１０】図１０は、飛ばし浮子が釣り糸に装着される手順が示された説明図である。
【図１１】図１１は、図１の飛ばし浮子を備えたリグが示された正面図である。
【図１２】図１２は、図１の飛ばし浮子を備えたリグが示された正面図である。
【図１３】図１３は、本発明の他の実施形態に係る飛ばし浮子が釣り糸と共に示された正面図である。
【図１４】図１４は、従来の飛ばし浮子が釣り糸及び浮子止めと共に示された断面図である。
【符号の説明】
【００３７】
１２、８２・・・飛ばし浮子
１４、８４・・・ストッパー
１６、８６・・・ボディ
１８・・・アーム
２０・・・コイル
２６・・・右フィン
２８・・・左フィン
３４、３６・・・スリット
６０・・・孔
６２・・・スリット
６８・・・アイ
８８・・・第一アーム
９０・・・第二アーム
９２・・・第一コイル
９４・・・第二コイル
９６・・・第一アイ
９８・・・第二アイ
【図１】
2010051199.tif 000003
【図２】
2010051199.tif 000004
【図３】
2010051199.tif 000005
【図４】
2010051199.tif 000006
【図５】
2010051199.tif 000007
【図６】
2010051199.tif 000008
【図７】
2010051199.tif 000009
【図８】
2010051199.tif 000010
【図９】
2010051199.tif 000011
【図１０】
2010051199.tif 000012
【図１１】
2010051199.tif 000013
【図１２】
2010051199.tif 000014
【図１３】
2010051199.tif 000015
【図１４】
2010051199.tif 000016